(57)【要約】【課題】  一緒に使用する大小複数のピンチをまとめて収納できるように構成することにより、ピンチの使用時や収納時における取り扱い性を高める。【解決手段】  相互に開閉自在の一対の挟持片からなる一つの大形ピンチと複数の小形ピンチとで構成され、上記大形ピンチの挟持片には、上記小形ピンチを取り付けるための複数の取付部を耳状に延出するように形成し、これらの取付部にそれぞれ小形ピンチ先端の挟持部を挟着させることにより、一つの大形ピンチに複数の小形ピンチを着脱自在に取り付ける。【選択図】        図１
2007014419.tif 000002
【特許請求の範囲】
【請求項１】
外形寸法及び開閉ストロークの大きい一つの大形ピンチと、外形寸法及び開閉ストロークの小さい複数の小形ピンチとからなり、
上記各ピンチは、中間の連結部において相互に開閉自在なるように連結された一対の挟持片と、これらの挟持片を先端の挟持部が閉じる方向に付勢するばねとにより構成され、上記挟持片の基端部には開閉操作のための操作部を有し、
上記大形ピンチの挟持片には、上記連結部よりも基端部寄りの位置に、上記小形ピンチを取り付けるための複数の取付部が側方に延出するように形成されていて、これらの取付部にそれぞれ小形ピンチ先端の挟持部を挟着させることにより、一つの大形ピンチに複数の小形ピンチが着脱自在に取り付けられている、
ことを特徴とするピンチアセンブリ。
【請求項２】
上記取付部が、各挟持片における操作部の左右両側の位置に、互いに逆向きかつ対称に延設され、該取付部の両面周縁部には、取り付けた小形ピンチがずれ落ちるのを防止するための縁枠が設けられていることを特徴とする請求項１に記載のピンチアセンブリ。
【請求項３】
上記大形ピンチにおける一対の挟持片の先端部が、二股状に分岐することによって相対する２組の分岐枝を有し、これらの分岐枝の先端に上記挟持部が形成されており、また、上記相対する２組の分岐枝は、互いに相反する方向に向けて凸形に湾曲していることを特徴とする請求項１又は２に記載のピンチアセンブリ。
【請求項４】
中間の連結部において相互に開閉自在なるように連結され、先端に干し物を挟持するための挟持部を有すると共に基端部に開閉操作のための操作部を有する一対の挟持片と、これらの挟持片を上記挟持部が閉じる方向に付勢するばねとからなるピンチであって、
上記挟持片には、上記連結部よりも基端部寄りの位置に、他の小形ピンチを取り付けるための複数の取付部が側方に延出するように形成され、これらの取付部に小形ピンチを挟着させることによって複数の小形ピンチを取付可能としたことを特徴とするピンチ。
【請求項５】
上記取付部が、各挟持片における操作部の左右両側の位置に、互いに逆向きかつ対称に延設され、該取付部の両面周縁部には、取り付けた小形ピンチがずれ落ちるのを防止するための縁枠が設けられていることを特徴とする請求項４に記載のピンチ。
【請求項６】
上記一対の挟持片の先端部が、二股状に分岐することによって相対する２組の分岐枝を有し、これらの分岐枝の先端に上記挟持部が形成されており、また、上記相対する２組の分岐枝は、互いに相反する方向に向けて凸形に湾曲していることを特徴とする請求項４又は５に記載のピンチ。
【発明の詳細な説明】
【技術分野】
【０００１】
本発明は、洗濯物などの干し物を止めるのに使用されるピンチを複数集合化したピンチアセンブリと、それに用いるピンチとに関するものである。
【背景技術】
【０００２】
シーツやタオルケットなどの比較的大形の干し物を物干し竿に吊り掛けて干す場合、大小複数のピンチを使用するのが効率的である。即ち、本発明の使用形態を示す図６に記載されているように、干し物の上部を大形のピンチで物干し竿に止め、干し物の側端部を複数箇所において小形のピンチで止めるようにすれば、風による干し物の移動や落下等を確実に防止することができる。
ところで、乾燥した干し物を取り込んだあと不要になった上記ピンチは、通常、容器に入れたり、物干し竿の近くに吊した厚紙等のプレートに挟着するなどして収納している。この場合、大小のピンチは別々に収納するのが一般的である。
【発明の開示】
【発明が解決しようとする課題】
【０００３】
しかしながら、一緒に使用する大小複数のピンチを個々に分離した状態で別々の場所に収納すると、干し物を止める際にそれらを取り出して揃えるのが大変であるだけでなく、干し物を取り込んだあと再び収納する際にも不便である。しかも、ピンチが紛失し易いため、必要とするサイズ及び数のピンチを揃えるのに手間がかかることも多い。
【０００４】
そこで本発明の目的は、一緒に使用する大小複数のピンチをまとめて収納できるように構成することにより、使用時や収納時の取り扱い性を高めることにある。
【課題を解決するための手段】
【０００５】
上記目的を達成するため、本発明によれば、外形寸法及び開閉ストロークの大きい一つの大形ピンチと、外形寸法及び開閉ストロークの小さい複数の小形ピンチとからなるピンチアセンブリが提供される。上記各ピンチは、中間の連結部において相互に開閉自在なるように連結された一対の挟持片と、これらの挟持片を先端の挟持部が閉じる方向に付勢するばねとにより構成され、上記挟持片の基端部には開閉操作のための操作部を有し、上記大形ピンチの挟持片には、上記連結部よりも基端部寄りの位置に、上記小形ピンチを取り付けるための複数の取付部が側方に延出するように形成されていて、これらの取付部にそれぞれ小形ピンチ先端の挟持部を挟着させることにより、一つの大形ピンチに複数の小形ピンチが着脱自在に取り付けられている。
【０００６】
本発明において好ましくは、上記取付部が、各挟持片における操作部の左右両側の位置に、互いに逆向きかつ対称に延設され、該取付部の両面周縁部には、取り付けた小形ピンチがずれ落ちるのを防止するための縁枠が設けられていることである。
【０００７】
本発明においては、上記大形ピンチにおける一対の挟持片の先端部が、二股状に分岐することによって相対する２組の分岐枝を有し、これらの分岐枝の先端に上記挟持部が形成されており、また、上記相対する２組の分岐枝は、互いに相反する方向に向けて凸形に湾曲していても良い。
【０００８】
また、本発明によれば、中間の連結部において相互に開閉自在なるように連結され、先端に干し物を挟持するための挟持部を有すると共に基端部に開閉操作のための操作部を有する一対の挟持片と、これらの挟持片を上記挟持部が閉じる方向に付勢するばねとからなるピンチであって、上記挟持片には、上記連結部よりも基端部寄りの位置に、他の小形ピンチを取り付けるための複数の取付部が側方に延出するように形成され、これらの取付部に小形ピンチを挟着させることによって複数の小形ピンチを取付可能としたことを特徴とするピンチが提供される。
【０００９】
上記ピンチにおいては、上記取付部が、各挟持片における操作部の左右両側の位置に互いに逆向きかつ対称に延設され、該取付部の両面周縁部には、取り付けた小形ピンチがずれ落ちるのを防止するための縁枠が設けられていることが望ましい。
【００１０】
また、上記一対の挟持片の先端部が、二股状に分岐することによって相対する２組の分岐枝を有し、これらの分岐枝の先端に上記挟持部が形成され、上記相対する２組の分岐枝は、互いに相反する方向に向けて凸形に湾曲していても良い。
【発明の効果】
【００１１】
本発明によれば、大形のピンチに複数の取付部を形成し、この取付部に複数の小形ピンチを挟着させて取り付けることができるようにしたので、干し物を干す場合に一緒に使用する大小複数のピンチをピンチアセンブリとしてまとめて収納することができ、また、干し物を干す場合には、大小必要なピンチをまとめて取り出すことができるため、取り扱い易く、使用性に勝れる。
【発明を実施するための最良の形態】
【００１２】
図１は本発明の一実施形態であるピンチアセンブリを示すもので、このピンチアセンブリは、外形寸法及び開閉ストロークの大きい一つの大形ピンチ１と、外形寸法及び開閉ストロークの小さい複数の小形ピンチ２とからなっており、上記大形ピンチ１に小形ピンチ２を着脱自在に取り付けることによってこのピンチアセンブリが構成されている。
【００１３】
上記大形ピンチ１は、図２及び図３からも分かるように、中間の連結部１１において支軸１４を中心に相互に開閉自在なるように連結された一対の合成樹脂製の挟持片１０，１０と、これらの挟持片１０，１０を先端の挟持部１２，１２が閉じる方向に付勢する金属製のばね１５とで構成され、各挟持片１０，１０の基端部に開閉操作のための操作部１３が設けられている。
【００１４】
上記各挟持片１０の先端部は、二股状に分かれていて、相互にほぼ平行に延びる２つの分岐枝１６，１６を有しており、各分岐枝１６の先端にそれぞれ上記挟持部１２が形成されている。従って、一対の挟持片１０，１０は、相対する２組の分岐枝１６，１６を有していて、これらの分岐枝１６，１６の間に干し物が挟持されることになる。また、上記各分岐枝１６は、図３に示すように、互いに相反する方向である背面側に向けて凸形に湾曲しており、この形状により、図６に示すように、物干し竿７に掛けた干し物８を該物干し竿７を跨いだ状態で挟持できるようになっている。
【００１５】
また、上記一対の挟持片１０，１０の基端部は、上記連結部１１の位置から互いに先広がりをなすように湾曲しながら一定幅のまま上向きに延び、その上端部に上記操作部１３が形成されている。この操作部１３においては、指を当て易いように挟持片１０の外面がやや窪んだ形に形成されると共に、当てた指が滑らないようにするための複数の突条１７が横向に設けられている。
【００１６】
更に、上記各挟持片１０の基端部には、上記小形ピンチ２を取り付けるための複数の取付部１８が形成されている。この取付部１８は、両面が平坦な薄板状をなすもので、上記操作部１３の左右両側部から、互いに逆方向に向けて対称形をなすように延出している。従って、この大形ピンチ１における一対の挟持片１０，１０には、合計で４つの取付部１８が形成されていることになる。また、これらの取付部１８の両面周縁部には、取り付けた小形ピンチ２がずれ落ちるのを防止するための縁枠１９が全周にわたり形成され、挟着した小形ピンチ２がずれ動いてもこの縁枠１９に係止するようになっている。
【００１７】
なお、上記取付部１８の大きさは、小形ピンチ２の取り付け易さを考えるとできるだけ大きい方がよいが、大形ピンチ１を単独で取り扱う場合のことを考慮すると、左右方向への極端な張り出しはできるだけ避けるべきである。図示した実施形態においては、一対の取付部１８，１８の張り出し長さ即ち左右の取付部１８，１８の端部間の距離Ｘが、上記一対の分岐枝１６，１６の端部間の距離Ｙより僅かに大きく形成されているが、それらは同程度であっても良く、あるいはＸがＹよりやや小さくても構わない。
【００１８】
上記ばね１５は、弧状に湾曲していて、上記支軸１４を上方から取り囲むように配置され、その両端が一対の挟持片１０，１０に対して上記支軸１４よりも先端寄りの位置で当接している。
【００１９】
一方、上記小形ピンチ２は、基本的には上記大形ピンチ１と同じ構成を有するものであるが、この大形ピンチ１に比べて全体のサイズは小さく、従って干し物８を挟持するための開閉ストロークも小さい。即ち、図４及び図５に示すように、この小形ピンチ２は、中間の連結部２１において支軸２４を中心に相互に開閉自在なるように連結された一対の合成樹脂製の挟持片２０，２０と、これらの挟持片２０，２０を先端の挟持部２２，２２が閉じる方向に付勢する金属製のばね２５とで構成され、各挟持片２０，２０の基端部に開閉操作のための操作部２３が設けられている。
【００２０】
上記小形ピンチ２は、先端の挟持部２２，２２を上記大形ピンチ１の取付部１８に挟着させることにより、該取付部１８に着脱自在に取り付けられている。図示した実施形態では、大形ピンチ１に四つの取付部１８が形成され、各取付部１８に一つの小形ピンチ２が取り付けられているので、一つの大形ピンチ１に合計で四つの小形ピンチ２が取り付けられていることになる。
なお、上記取付部１８に対する小形ピンチ２の取付姿勢は、図１における左側の挟持片１０に取り付けた２つの小形ピンチ２のように下向きであっても、右側の挟持片１０に取り付けた２つの小形ピンチ２のように上向きであっても、あるいは横向きや斜め向きであっても良く、任意の姿勢で取り付ることができる。
【００２１】
上記構成を有するピンチアセンブリを使用してシーツやタオルケットなどの干し物を干す場合には、このピンチアセンブリを収納場所から取り出したあと、各小形ピンチ２を大形ピンチ１から取り外し、図６に示すように、干し物８の上部を大形ピンチ１で物干し竿７に止め、干し物８の側端部を複数箇所において小形ピンチ２で止めるようにする。その際、複数の小形ピンチ２を大形ピンチ１から順次取り外しながら干し物８の側端部を止めたあと、最後に大形ピンチ１で干し物８の上部を止めることも、あるいは、小形ピンチ２が取り付けられたままの大形ピンチ１で干し物８の上部を物干し竿７に止めたあと、各小形ピンチ２を順次取り外して干し物８の側端部を止めることもできる。
【００２２】
また、乾燥した干し物８を取り込んだあと、不要になった上記ピンチ１，２は、図１に示すように、大形ピンチ１の取付部１８に小形ピンチ２を取り付けることによって再び上記ピンチアセンブリの形にし、所定の場所に収納する。
【００２３】
かくして上記ピンチアセンブリは、干し物を干す場合に同時に使用する大小複数のピンチ１，２をひとまとめにしてあるので、不使用時にはこれらのピンチ１，２を一箇所にまとめて収納することができ、また、干し物を干す場合には、大小必要なピンチ１，２をまとめて取り出すことができるため、取り扱い易く、使用性に勝れる。
しかも、上記取付部１８の周囲に縁枠１９が形成されているため、取り付けた小形ピンチ２が収納時や取り出し時にずれ動いたとしても、この縁枠１９に係止して脱落することがなく、常にまとまった状態のまま取り扱うことができる。
【００２４】
図示した実施形態では、大形ピンチ１を構成する一対の挟持片１０，１０における操作部１３，１３の両側に、２つの取付部１８，１８が耳状に張り出した形に形成されているが、一方の挟持片１０だけに上記取付部１８を形成することもできる。また、上記取付部１８を形成する位置は、操作部１３の両側に限るものではなく、上記連結部１１よりも基端部寄り（操作部１３寄り）の位置であればどのような位置であっても良く、一対の挟持片１０，１０で取付部１８の位置が互いに異なっていても良い。更に、上記取付部１８の形態も平坦な薄板状に限らず、Ｌ字形に折れ曲がっていても良い。
【図面の簡単な説明】
【００２５】
【図１】本発明の一実施形態を示す斜視図である。
【図２】大形ピンチの正面図である。
【図３】大形ピンチの側面図である。
【図４】小形ピンチの正面図である。
【図５】小形ピンチの側面図である。
【図６】大小ピンチを使用して干し物を干した状態の図である。
【符号の説明】
【００２６】
１      大形ピンチ
２      小形ピンチ
１０，２０      挟持片
１１，２１      連結部
１２，２２      挟持部
１３，２３      操作部
１４，２４      支軸
１５，２５      ばね
１６      分岐枝
１８      取付部
１９      縁枠
【図１】
2007014419.tif 000003
【図２】
2007014419.tif 000004
【図３】
2007014419.tif 000005
【図４】
2007014419.tif 000006
【図５】
2007014419.tif 000007
【図６】
2007014419.tif 000008